(57)【要約】【課題】記念品や資料を日常的に室内装飾品として使用でき、かつ必要に応じて取り出しやすい記念品展示収納箱を提供する。【解決手段】開閉可能に連結された蓋部と本体部とからなる記念品収納箱において、前記蓋部と本体部とのそれぞれに展示収納部を設け、蓋部側の展示収納部は、写真や歌詞カードなど厚みの薄い展示品を陳列し、本体部側の展示収納部には、記念品やミニチュア品など厚みの厚い展示品を陳列してなり、前記展示収納部は、その開口側が透明な内蓋により塞がれていることを特徴とする。【選択図】図１
0003126142.tif 000002
【実用新案登録請求の範囲】
【請求項１】
開閉可能に連結された蓋部と本体部とからなる記念品収納箱において、
前記蓋部と本体部とのそれぞれに展示収納部を設け、
蓋部側の展示収納部は、写真や歌詞カードなど厚みの薄い展示品を陳列し、本体部側の展示収納部には、記念品やミニチュア品など厚みの厚い展示品を陳列してなり、
前記展示収納部は、その開口側の全部または一部が透明な内蓋により塞がれていることを特徴とする記念品展示収納箱。
【請求項２】
蓋部または本体部に、展示収納部を形成する引出部が形成されており、蓋部または本体部の周壁面から引出しうることを特徴とする請求項１に記載の記念品展示収納箱。
【請求項３】
前記蓋部または本体部に、外面で開口すると共に展示収納部とは仕切られており、記念誌や住所録などの冊子を収納する冊子等収納部が一体に設けられていることを特徴とする請求項１または２に記載の記念品展示収納箱。
【請求項４】
蓋部または本体部の内蓋が、蓋部または本体部の開口面に着脱可能に取り付けられていることを特徴とする請求項１に記載の記念品展示収納箱。
【考案の詳細な説明】
【技術分野】
【０００１】
本考案は、蓋部と本体部に展示収納部を設け記念品やミニチュア品などを陳列しうる記念品展示収納箱に関する。
【背景技術】
【０００２】
従来、結婚式や卒業式、催し物等の記念として、フィギュアを製作したり、実際に着用したウエアー（ウェディングドレスや制服など）のミニチュア品を製作したり、本人が使用した物（ブーケやランドセルなど）を用いてそのミニチュア品を製作することが行われている。
例えば、ミニチュアランドセルの飾りケースとして、実用新案登録第３０１６２４７号では、ミニチュアランドセルをスタンドにより起立状に支持して透明な箱型のカバーの中に収納する構成が知られている。
しかし、上記構成では、ミニチュアランドセルしか飾ることができず、その他の記念に残る物を同時に陳列することができない。
【０００３】
一方、特開２００５−９５２２３号の誕生記念品収納箱では、胡桃の無垢材で構成した箱の蓋部に母子手帳などの記念資料を収納し、台板をかぶせて写真をのせアクセル板をかぶせて四隅をネジ留めし、本体部にはオルゴールを取り付け、小収納部に臍の緒を収納し、大収納部に手形レリーフブロンズ板を収納して四隅をねじで留める構成が開示されている。
この誕生記念品収納箱は、記念品として子供やペットの手形、足形のレリーフブロンズ板を取り付ける点に特徴があり、いずれもネジ留めにより固定しているため、これらを分離したり、奧に収納された記念資料を取り出すには、いちいちネジを外す必要があって、繁雑な作業となるし、繰り返し何度も行うとネジ孔が緩くなったり壊れたりしてネジ留めできなくなる虞れもある。
【０００４】
【特許文献１】実用新案登録第３０１６２４７号
【特許文献２】特開２００５−９５２２３号公報
【考案の開示】
【考案が解決しようとする課題】
【０００５】
本考案は上記事情に鑑み、日常的に室内装飾品として使用でき、また収納し陳列した物の取り出しや陳列を容易に行えるようにした記念品展示収納箱を提供することにある。
【課題を解決するための手段】
【０００６】
上記課題を解決するために、請求項１の考案では、
開閉可能に連結された蓋部と本体部とからなる記念品収納箱において、
前記蓋部と本体部とのそれぞれに展示収納部を設け、
蓋部側の展示収納部は、写真や歌詞カードなど厚みの薄い展示品を陳列し、本体部側の展示収納部には、記念品やミニチュア品など厚みの厚い展示品を陳列してなり、
前記展示収納部は、その開口側の全部または一部が透明な内蓋により塞がれていることを特徴とする。
また、請求項２の考案では、
前記蓋部または本体部に、展示収納部を形成する引出部が形成されており、蓋部または本体部の周壁面から引出しうることを特徴とする。
更に、請求項３の考案では、
前記蓋部または本体部に、外面で開口すると共に展示収納部とは仕切られており、記念誌や住所録などの冊子を収納する冊子等収納部が一体に設けられていることを特徴とする。
また、請求項４の考案では、
前記蓋部または本体部の内蓋が、蓋部または本体部の開口面に着脱可能に取り付けられていることを特徴とする。
【考案の効果】
【０００７】
この考案では、蓋部側の展示収納部や、本体部側の展示収納部に陳列される収納物は、開口側が透明な内蓋によって覆われているので、展示品にゴミや埃が付着せず長期間保存することができる。
また、展示収納部を引出し内に設けたり、内蓋を着脱自在とすることで、収納された展示品を簡単に外に取り出すことができる、
【考案を実施するための最良の形態】
【０００８】
以下にこの考案の記念品展示収納箱の好適な実施例について図面を参照しながら説明する。
【実施例１】
【０００９】
本考案の記念品展示収納箱１は、図１に示すように、蓋部２と本体部３がヒンジ部４で開閉自在に連結されている。
そして、前記蓋部２には、蓋部側の展示収納部２０が設けられており、本体部３には本体部側の展示収納部３０が設けられている。
【００１０】
前記蓋部側の展示収納部２０はその厚みが薄く、写真や歌詞カードなど厚みの薄い展示品を収納し陳列することができるようになっている。
また前記本体部側の展示収納部３０には、記念品やミニチュア品などの厚みの厚い展示品５を収納し陳列することができるようになっている。
【００１１】
そして、それぞれの展示収納部２０、３０は、その開口側が透明なアクリル板などの内蓋２１、３１により塞がれており、展示収納部２０、３０内に収納された展示品５を覆っている。
【００１２】
図１に例示した記念品展示収納箱１は、例えば小学校の卒業記念用であって、蓋部側の展示収納部２０に写真を所定の位置に保持して、蓋部２を開いた際に、写真立てのように写真や栞などの厚みの薄い展示品５Ａを保持することができるようになっている。
【００１３】
図２に例示する蓋部側の展示収納部２０は、蓋部２内面側が開口する薄型ボックス状からなっており、その中空部内に、台紙２２を設け、該台紙２２には写真などの厚みの薄い展示品５Ａを掛止める掛止部２３が形成されている。
【００１４】
図示例で掛止部２３は切線からなって、写真などの厚みの薄い展示品５Ａの角部を掛止めることができるようになっているが、要するに写真などの前記展示品５Ａを台紙２２に着脱可能に支持する公知の掛止手段や係止手段を用いることができる。
【００１５】
そして、上記台紙２２の上には透明な内蓋２１が重ねられて、写真などの厚みの薄い展示品５Ａのカバーとなっている。
図示例の場合、内蓋２１は、写真などの前記展示品５Ａに対応する個所に窓孔２１ａが設けられて、該窓孔に透明フィルム２１ｂが貼着された構成となっているが、全面が透明であってもよいし、一部が透明であってもよい。
【００１６】
また、この場合に、前記内蓋２１を蓋部２の開口部に着脱可能に嵌合する構成としておけば、内蓋２１を外して、写真などの厚みの薄い展示品５Ａを取り出したり変更したりすることができる。
【００１７】
本体部３は、本体部３の内面側が開口するボックス状からなっており、中空部分が展示収納部３０となっている。
この展示収納部３０は、前記蓋側の展示収納部２０より厚みが厚く設定されているので、厚みの厚い展示品５を展示収納部３０内に陳列することができる。
【００１８】
本実施例では、一例として、本人が着用した制服を用いて製作されたミニチュアの制服や、本人が使用したランドセルを用いて製作されたミニチュアのランドセルなどの立体的な展示品５Ｂが、フックなどの展示品支持部材Ｓによって吊り下げ可能に支持されている。
図示例では、展示品支持部材Ｓは、前方へ収縮自在なアームの先端にフックを有しており、展示品の厚みによりアームの位置を調整して支持することができる。
【００１９】
また、本人が使用した記章などの厚みの薄い展示品５Ａも同時に展示することができる。
このように、この展示収納部３０には、蓋部側の展示収納部２０には収納できない厚みの厚い展示品５Ｂが主に収納されるが、展示収納部２０に収納可能な厚みの薄い展示品５Ａも適宜収納しうる。
【００２０】
展示収納部３０のディスプレイは自由に変更可能である。
展示品の背景を、スコア付き校歌等の歌詞としてポーズを取った人形にミニチュア服や用具を装着したり、婚礼記念ならミニチュア婚礼衣装と実際に使用したブーケの花をドライフラワーにして飾ったり、手に持った扇子をディスプレイしたり事例に応じて適宜変更することができる。
【００２１】
ミニチュアの衣装も、ディスプレイによっては完全なミニチュアではなく、見えない方向を省いたものとすることもできる。
合唱記念や演奏記念など、サークルの催し物を記念する場合、合唱隊のユニフォームなどは完全なミニチュアでなくともよい。
【００２２】
そして、この展示収納部３０の開口側は透明な内蓋３１により塞がれている。
この内蓋３１は、本体部３の開口側に固着されるものでもよいが、着脱可能に取り付けられるものでもよい。
【実施例２】
【００２３】
次ぎに、図３に示す記念品展示収納箱１は、蓋部２で展示収納部２０の外側（奥行き側）で前記展示収納部２０とは仕切られて、周壁面の一側で開口する中空部からなる冊子等収納部２５が形成されている。
ここで冊子等収納部２５の開口には開閉可能な蓋が取り付けられていてもよい。
【００２４】
この冊子等収納部２５は、記念誌や住所録などの冊子類やＣＤやＤＶＤなどのディスク類などの非展示品５Ｃを収納するものであり、記念品展示収納箱１が閉まっていても外から出し入れできるケース状となっているので、使用者は、いつでも冊子等収納部２５から前記非展示品５Ｃを取り出して見ることができるようになっている。
【００２５】
この実施例では、冊子等収納部２５を蓋部２に設けた場合を図示したが、本体部３に設けてもよい。
即ち、本体部３に、展示収納部３０とは仕切られて、その奥行き側に周壁面で開口する中空部からなって記念誌や住所録などの非展示品５Ｃを収納する冊子等収納部２５を一体に形成してもよい（図示せず）。
【００２６】
上記実施例で冊子等収納部２５は、１面で開口する中空部からなるが、該中空部内に出入自在な引出として構成されているものであってもよい（図示せず）。
この場合は、引出しの中に非展示品５Ｃを収納しておけばよい。
これらいずれの場合も、その他の構成は前記実施例と同様であるので、その説明を省略する。
【実施例３】
【００２７】
次ぎに、図４および図５に示す記念品展示収納箱１は、本体部３の展示収納部３０が、本体部３に設けられた引出しの中空部分からなっている場合を示す。
即ち、本体部３は、開口側が透明な内蓋３１で塞がれた箱形からなって、周壁面には中空部と繋がる開口が形成され、該開口には内面側が開口する箱形の引出し３５が出入自在に収納されている。
【００２８】
そして、この引出し３５の中空内が本体部側の展示収納部３０として用いられる。
上記構成からなっているので、厚みの厚い展示品５Ｂは、引出し３５を引き出すことで、容易に本体部３から取り出すことができる。
【００２９】
図示例では、展示収納部３０となる引出し３５を本体部３に設けた場合を示したが、蓋部２側に設けてもよい。
蓋部２に設ける場合には、引出しを箱型とせずに単なるプレート状の台紙板として、写真などの厚みの薄い展示品５Ａを貼り付けた状態で蓋部２からスライドして出し入れしうる構成としてもよい。
その他の構成は前記各実施例と同様であるので、その説明を省略する
【実施例４】
【００３０】
図６に示す記念品展示収納箱１は、内蓋３１が本体部３に着脱可能に取り付けられた場合の一例を示す。
この場合、本体部３の開口縁には、内蓋３１を本体部３に嵌合するための段部３ａを形成しておき、内蓋３１には把手３１ｂを設けている。
【００３１】
内蓋３１には外周に沿って４つの折曲がり片３１ａを形成しておき、前記段部３ａの内周は折曲がり片３１ａの外周より僅かに小さく形成しておくことで、折曲がり片３１ａは外向きに付勢されながら段部３ａに掛止めることができる。
また、内蓋３１を外す場合は、前記把手３１ｂを摘んで本体部３から取り外せばよい。
【００３２】
図示例では、本体部３の内蓋３１を着脱する場合を例示したが、蓋部２の内蓋２１を着脱する構成としてもよい。
また、着脱手段は上記図示例に限定されず、公知の着脱手段に置き換えてもよい。
その他の構成は、前記各実施例と同様であるので、その説明を省略する。
【実施例５】
【００３３】
図７に示す記念品展示収納箱１は、本体部３の裏板を開閉自在とした異なる実施例を示す。
即ち、本体部３は、内面側が内蓋３１で塞がれており、外面側となり裏板３８が上方へスライドして開閉するように、本体部３の側壁３７の後端側には上下に延びるガイド溝３７ａが形成され、裏板３８の左右両側には上記ガイド溝３７ａに沿って摺動するガイドレール３８ａが形成されている。
【００３４】
また、厚みの厚い展示品５Ｂは、本体部３に着脱可能に嵌合したプレート状の台板３６に支持されて展示収納部３０内に展示されている。
そこで、通常は、図中実線で示すように裏板３８は閉まっているが、前記展示品５Ｂを取り出す場合には、前記裏板３８を上方へスライドして本体部３の裏面を開放する。
そして前記台板３６を収納品と一緒に外へ取り出すことができる。
その他の構成は前記各実施例と同様であるので、その説明を省略する。
【００３５】
この考案では、上記のように記念品展示収納箱から収納品を容易に取り出すことができるようにしたので、収納品の補修、修繕を容易に行うことができると共に、内蓋でカバーすることで展示品にチリや埃が付着せずきれいな状態で長期間保存することができる。
【００３６】
また、この考案では、蓋部や本体部の中空部を展示収納部としたが、中空部の奥行き方向だけでなく、その一部に別途引出しを設けたり、オルゴールや電子音声を発生するＩＣを内蔵した機械収納部を設けたり、小物類の収納部を設けたりしてもよい。
【００３７】
また、図示しないが蓋部２と本体部３とを分離可能なヒンジを用いて連結しておき、それぞれ裏面に折畳式のスタンドや吊り下げ部材を設けておけば、それぞれを個別の展示品陳列具として使用することもできる。
その他、要するに、この考案の要旨を変更しない範囲で種々設計変更しうること勿論である。
【産業上の利用可能性】
【００３８】
本考案は、記念品の展示収納箱として開発したものであるが、郷土の祭りや伝統芸能の記録や資料を収納して、衣装や用具のミニチュア品を用いて場面を再現したものを展示すれば土地のお土産品や玩具として販売でき、商業的な面だけでなく、文化的な面でも利用価値が高い。
【図面の簡単な説明】
【００３９】
【図１】実施例１に係る記念品展示収納箱を開いた状態の斜視図である。
【図２】蓋部側の展示収納部に写真を取付ける状態を示す斜視図である。
【図３】冊子類収納部を蓋部に設けた記念品展示収納箱の実施例２の斜視図である。
【図４】引出しを本体部に設けた記念品展示収納箱の実施例３の斜視図である。
【図５】図４の実施例３の断面図である。
【図６】内蓋を着脱自在とした記念品展示収納箱の実施例４の断面図である。
【図７】本体部の裏板を開閉自在とした記念品展示収納箱の実施例５の断面図である。
【符号の説明】
【００４０】
１      記念品展示収納箱
２      蓋部
３      本体部
４      ヒンジ部
５Ａ    厚みの薄い展示品
５Ｂ    厚みの厚い展示品
５Ｃ    非展示品（冊子類など）
２０      蓋部側の展示収納部
２１      内蓋
２２      台紙
２５      冊子等収納部
３０      本体部側の展示収納部
３１      内蓋
３５      引出し
３８      裏板
【図１】
0003126142.tif 000003
【図２】
0003126142.tif 000004
【図３】
0003126142.tif 000005
【図４】
0003126142.tif 000006
【図５】
0003126142.tif 000007
【図６】
0003126142.tif 000008
【図７】
0003126142.tif 000009